(57)【要約】【課題】防水性を確保しつつ、筐体外部の部品を容易に交換すること。【解決手段】固定側筐体３の内部に収納された回路基板１０と固定側筐体３の外部に配置されたアンテナとしての連結部６とを固定側筐体３に設けられたアンテナ用孔８ａを通じて電気的に接続した携帯電話機１であって、回路基板１０に接続された状態で固定側筐体３の内面に固着される第１の導電部材５１と、連結部６に接続された状態で固定側筐体３の外面に着脱自在に装着される第２の導電部材５２と、固定側筐体３の外部側からアンテナ用孔８ａに挿通され、第１の導電部材５１と第２の導電部材５２とを締結する導電性の締結部材５３とを備える。【選択図】図５
2011055239.tif 000002
【特許請求の範囲】
【請求項１】
筐体の内部に収納された回路基板と前記筐体の外部に配置されたアンテナとを前記筐体に設けられた貫通孔を通じて結合し、前記回路基板から前記アンテナへの給電を行う携帯端末装置であって、
前記筐体の内面に固着され、前記回路基板に接続される第１の導電部材と、
前記筐体の外面に着脱自在に装着され、前記アンテナに接続される第２の導電部材と、
前記筐体の外部側から前記貫通孔に挿通され、前記第１の導電部材と前記第２の導電部材とを締結する導電性の締結部材と
を備えたことを特徴とする携帯端末装置。
【請求項２】
前記締結部材によって前記第１の導電部材と前記第２の導電部材とが締結された状態で前記貫通孔を水密に塞ぐ防水部材をさらに備えたことを特徴とする請求項１に記載の携帯端末装置。
【請求項３】
前記防水部材は、前記締結部材に取り付けられていることを特徴とする請求項２に記載の携帯端末装置。
【請求項４】
前記第１の導電部材は、前記回路基板と接触する接続端子を含んだ板金体と、当該板金体に取り付けられ、前記筐体の内面における前記貫通孔の周囲に形成された凹部に嵌着されるナット部とを備え、
前記締結部材は、前記貫通孔よりも大径の頭部と、当該頭部から延出され、前記ナット部のネジ孔に螺合可能なネジ部とを備え、前記筐体の外面に装着された前記第２の導電部材を前記頭部で前記筐体の外面に押圧しつつ、前記貫通孔に挿通された前記ネジ部を前記ナット部のネジ孔に螺合することで、前記第１の導電部材と前記第２の導電部材とを締結することを特徴とする請求項１〜３のいずれか一つに記載の携帯端末装置。
【請求項５】
前記アンテナは、前記筐体と前記筐体と異なる他の筐体とを可動自在に連結する導電性の連結部であることを特徴とする請求項１〜４のいずれか一つに記載の携帯端末装置。
【発明の詳細な説明】
【技術分野】
【０００１】
本発明は、携帯端末装置に関する。
【背景技術】
【０００２】
従来、携帯電話等の携帯端末装置のアンテナは、筐体内部に設けられる場合と、筐体外部に設けられる場合とがある。このアンテナが筐体外部に設けられた場合には、筐体内部に収納された回路基板と筐体外部に配置されたアンテナとを給電線で接続する必要がある。
【０００３】
図１３は、従来の携帯端末装置の筐体内部の構成の一部を示す外観斜視図であり、図１４は、図１３に示した筐体の一部の縦断面図である。図１３及び図１４に示した携帯端末装置では、第１のケース１０１と第２のケース１０２とを接合した筐体１０３の側壁１０３ａに貫通孔１０４が形成される。筐体１０３の内部には、種々の電子部品を実装した回路基板１０５が収納される。
【０００４】
アンテナ１０６は、ＦＰＣ（Flexible Printed Circuit）等のフレキシブルケーブル（以下、「フレキ」という。）で形成されている。アンテナ１０６の一端は、筐体１０３の内部で回路基板１０５上のコネクタ１０７に接続される。他端は、貫通孔１０４を通じて筐体１０３の外部に延出され、所定のホルダ１０８により保持される。
【０００５】
なお、アンテナ１０６の中途には、弾性素材で形成された防水用のグロメット１０９が一体成形されており、貫通孔１０４は、このグロメット１０９により水密に塞がれている。また、筐体１０３の外部には、アンテナ１０６の露出を防ぐための外装カバー１１０が取り付けられている。
【０００６】
ところで、上記構成を有する携帯端末装置では、アンテナ１０６が柔軟なフレキで形成されているため、回路基板１０５上のコネクタ１０７やホルダ１０８等、フレキを固定するための部品が別途必要となる。このため、携帯端末装置の部品点数や実装スペースが増大するという問題がある。
【０００７】
そこで、このような問題を解消するために、フレキで形成されたアンテナの代わりに金属製のロッドアンテナを採用する従来技術が知られている。この従来技術の場合には、筐体外部に設置されたロッドアンテナと筐体内部に収納された回路基板とが筐体に設けられた貫通孔を通じて給電接続されることになる。
【０００８】
具体的には、回路基板から延びる接続端子が筐体内部に装着され、ロッドアンテナの基端部が筐体内部に装着される。そして、筐体内部側から貫通孔に挿通された導電性のネジ部材によって、回路基板の接続端子とロッドアンテナの基端部とが締結される。
【先行技術文献】
【特許文献】
【０００９】
【特許文献１】実開平７−２９９４５号公報
【発明の概要】
【発明が解決しようとする課題】
【００１０】
しかしながら、このような従来の携帯端末装置では、筐体外部のロッドアンテナが故障した場合に、ロッドアンテナの交換作業が煩雑であるという問題がある。
【００１１】
具体的には、従来の携帯端末装置では、筐体内部の回路基板と筐体外部のロッドアンテナとが筐体の内部側からネジ止めされている。したがって、ロッドアンテナを筐体から取り外すためには、筐体を分解したうえでネジ部材を取り外さなければならない。このため、従来の携帯端末装置では、ロッドアンテナの交換作業が複雑なものとなる。特に、筐体が防水機能を有する場合には、筐体の分解によって防水性が低下するという問題もある。
【００１２】
開示の技術は、上記に鑑みてなされたものであって、防水性を確保しつつ、筐体外部の部品を容易に交換することができる携帯端末装置を提供することを目的とする。
【課題を解決するための手段】
【００１３】
上述した課題を解決し、目的を達成するため、本願に開示する携帯端末装置は、筐体の内部に収納された回路基板と前記筐体の外部に配置されたアンテナとを前記筐体に設けられた貫通孔を通じて電気的に接続した携帯端末装置であって、前記回路基板に接続された状態で前記筐体の内面に固着される第１の導電部材と、前記アンテナに接続された状態で前記筐体の外面に着脱自在に装着される第２の導電部材と、前記筐体の外部側から前記貫通孔に挿通され、前記第１の導電部材と前記第２の導電部材とを締結する導電性の締結部材とを備えた。
【発明の効果】
【００１４】
本願の開示する携帯端末装置の一つの態様によれば、防水性を確保しつつ、筐体外部の部品を容易に交換することができるという効果を奏する。
【図面の簡単な説明】
【００１５】
【図１】図１は、本実施例に係る携帯電話機の正面側外観斜視図である。
【図２】図２は、本実施例に係る携帯電話機の背面側外観斜視図である。
【図３】図３は、固定側筐体の分解斜視図である。
【図４】図４は、接続部の取り付け状態を示す斜視図である。
【図５】図５は、図４の分解斜視図である。
【図６】図６は、接続部の取り付け状態をフロントケースの外側から示す要部拡大斜視図である。
【図７】図７は、接続部の取り付け状態をフロントケースの内側から示す要部拡大斜視図である。
【図８】図８は、接続部の取り付け状態をフロントケースの外側から示す断面斜視図である。
【図９】図９は、接続部の取り付け状態をフロントケースの内側から示す断面斜視図である。
【図１０】図１０は、第１の導電部材の拡大斜視図である。
【図１１】図１１は、第２の導電部材の拡大斜視図である。
【図１２】図１２は、締結部材の拡大斜視図である。
【図１３】図１３は、従来の携帯端末装置の筐体内部の構成の一部を示す外観斜視図である。
【図１４】図１４は、図１３に示した筐体の一部の縦断面図である。
【発明を実施するための形態】
【００１６】
以下に、本願の開示する携帯端末装置の実施例を図面に基づいて詳細に説明する。
【実施例】
【００１７】
本実施例は、本願の開示する携帯端末装置を折り畳み式の携帯電話機へ適用した例を示す。図１は、本実施例に係る携帯電話機の正面側外観斜視図であり、図２は、本実施例に係る携帯電話機の背面側外観斜視図である。
【００１８】
図１及び図２に示すように、携帯電話機１は、操作部２を有する固定側筐体３と、表示部４を有する可動側筐体５とを有する。固定側筐体３と可動側筐体５とは、連結部６により折り畳み自在に連結されている。これら固定側筐体３及び可動側筐体５は、例えば、軽量で高強度のマグネシウム合金等の材料により箱形状に形成されている。また、固定側筐体３の側面には、各種のサイドキー７が設けられている。
【００１９】
図３は、固定側筐体３の分解斜視図である。固定側筐体３は、操作部２が設けられたフロントケース８と、フロントケース８の背面側に位置するリアケース９とを接合した２分割構造を備えている。フロントケース８とリアケース９とで形成される固定側筐体３の内部には、種々の電子部品を実装した回路基板１０が収納されている。回路基板１０の所定の位置には、図示しない給電端子部が設けられており、この給電端子部は、後述の接続部５０が備えた第１の導電部材５１のバネ端子５４ａ（図７参照）に接触する。
【００２０】
固定側筐体３の外部、より詳しくは、固定側筐体３のフロントケース８の外部には、固定側筐体３と可動側筐体５とを折り畳み自在に連結する連結部６が設置されている。連結部６は、金属等の導電性を有する材質で形成されたヒンジモジュールである。連結部６は、固定側筐体３の内部に収納された回路基板１０と接続部５０を介して電気的に接続されており、回路基板１０からの給電を受けることで携帯電話機１のアンテナとして機能する。
【００２１】
また、固定側筐体３のフロントケース８の側面部には、貫通孔であるアンテナ用孔８ａ（図５参照）が設けられており、このアンテナ用孔８ａには、アンテナとしての連結部６と回路基板１０とを結合する接続部５０が取り付けられている。
【００２２】
次に、連結部６と回路基板１０とを結合する接続部５０の構成を詳細に説明する。図４は、接続部５０の取り付け状態を示す斜視図であり、図５は、図４の分解斜視図である。また、図６は、接続部５０の取り付け状態をフロントケース８の外側から示す要部拡大斜視図であり、図７は、接続部５０の取り付け状態をフロントケース８の内側から示す要部拡大斜視図である。
【００２３】
また、図８は、接続部５０の取り付け状態をフロントケース８の外側から示す断面斜視図であり、図９は、接続部５０の取り付け状態をフロントケース８の内側から示す断面斜視図である。
【００２４】
図４〜図９に示すように、接続部５０は、第１の導電部材５１と、第２の導電部材５２と、導電性の締結部材５３とを有する。第１の導電部材５１は、固定側筐体３の内面に固着され、回路基板１０（図３参照）に接続される。本実施例では、第１の導電部材５１は、固定側筐体３のフロントケース８の内側面に固着され、回路基板１０に接続される。
【００２５】
図１０は、第１の導電部材５１の拡大斜視図である。図１０に示すように、第１の導電部材５１は、例えば銅板やステンレス板等の導電性の材料により形成された板金体５４と、板金体５４に溶着により取り付けられたナット部５５とを有する。板金体５４は、フロントケース８の内側面に沿って配置され、回路基板１０の給電端子部（図示せず）に接触する接触端子であるバネ端子５４ａを含んでいる。ナット部５５は、フロントケース８の内側面におけるアンテナ用孔８ａの周囲に形成された凹部８ｂ（図８及び図９参照）に嵌着される。かかる構成により、第１の導電部材５１は、固定側筐体３のフロントケース８の内側面に固着され、回路基板１０に接続される。
【００２６】
第２の導電部材５２は、固定側筐体３の外面に着脱自在に装着され、アンテナ機能付きの連結部６に接続される。本実施例では、第２の導電部材５２は、固定側筐体３のフロントケース８の外側面に着脱自在に装着され、連結部６に接続される。
【００２７】
図１１は、第２の導電部材５２の拡大斜視図である。図１１に示すように、第２の導電部材５２は、例えば銅板やステンレス板等の導電性の材料により形成された板金構造体である。第２の導電部材５２は、連結部６からフロントケース８のアンテナ用孔８ａへ至るまでフロントケース８の外側面に沿って屈曲した帯形状に形成されている。
【００２８】
第２の導電部材５２の連結部６側の一端には、透孔５２ａが形成されている。透孔５２ａがフロントケース８に形成された透孔８ｃ及び連結部６に形成された透孔６ａ（図５参照）と同心となるように配置された状態で、第２の導電部材５２の一端が、連結部６とフロントケース８との間に取付ネジ５６により挟着される。かかる構成により、固定側筐体３のフロントケース８の外側面に着脱自在に装着され、連結部６に接続される。
【００２９】
また、第２の導電部材５２のアンテナ用孔８ａ側の他端には、アンテナ用孔８ａに対応する透孔５２ｂが形成されている。この透孔５２ｂには、締結部材５３における後述のネジ部５８が挿通される。
【００３０】
締結部材５３は、固定側筐体３の外部側からアンテナ用孔８ａに挿通され、第１の導電部材５１と第２の導電部材５２とを締結する。本実施例では、締結部材５３は、固定側筐体３のフロントケース８の外側面側からアンテナ用孔８ａに挿通され、第１の導電部材５１と第２の導電部材５２とを締結する。
【００３１】
図１２は、締結部材５３の拡大斜視図である。図１２に示すように、締結部材５３は、例えば銅やステンレス等の導電性の材料により形成されている。締結部材５３は、フロントケース８のアンテナ用孔８ａよりも大径の頭部５７と、頭部５７から延出され、第１の導電部材５１のナット部５５のネジ孔５５ａ（図１０参照）に螺合可能なネジ部５８とを有する。
【００３２】
締結部材５３は、第２の導電部材５２の透孔５２ｂ及びアンテナ用孔８ａにネジ部５８を順次挿通させ、第２の導電部材５２を頭部５７でフロントケース８の外側面に押圧しつつ、ネジ部５８を第１の導電部材５１のナット部５５のネジ孔５５ａに螺合する。これにより、第１の導電部材５１と第２の導電部材５２とが締結部材５３を介して締結される。その結果、固定側筐体３内に収納された回路基板１０と固定側筐体３外に配置されたアンテナ機能付きの連結部６とが、第１の導電部材５１、締結部材５３及び第２の導電部材５２を介して電気的に接続される。
【００３３】
また、締結部材５３におけるネジ部５８の基端部には、防水部材であるＯリング５９が環装されている。Ｏリング５９は、締結部材５３によって第１の導電部材５１と第２の導電部材５２とが締結された状態で、フロントケース８のアンテナ用孔８ａを水密に塞ぐ。このように、アンテナ用孔８ａがＯリング５９で塞がれることによって、固定側筐体３内に水が浸入することを防ぐことができる。
【００３４】
次に、図４、図５、図８及び図９を参照して、接続部５０による連結部６と回路基板１０との接続手順及び接続解除手順を説明する。最初に、接続部５０によって連結部６と回路基板１０とを接続する手順について説明する。
【００３５】
（１）まず、第１の導電部材５１のナット部５５を、フロントケース８の内側面におけるアンテナ用孔８ａの周囲に形成された凹部８ｂに嵌着する。（２）次いで、第２の導電部材５２の連結部６側の一端を、連結部６とフロントケース８との間に取付ネジ５６により狭着する。
【００３６】
（３）次いで、第２の導電部材５２をフロントケース８の外側面に重ね合わせるとともに、第２の導電部材５２の他端における透孔５２ｂをフロントケース８のアンテナ用孔８ａと同心に配置する。
【００３７】
（４）次いで、フロントケース８の外側面側から第２の導電部材５２の透孔５２ｂ及びアンテナ用孔８ａに締結部材５３のネジ部５８を順次挿通させる。（５）このとき、第２の導電部材５２を締結部材５３の頭部５７でフロントケース８の外側面に押圧させつつ、ネジ部５８を第１の導電部材５１におけるナット部５５のネジ孔５５ａに螺合させる。
【００３８】
（６）最後に、給電端子部が第２の導電部材５２のバネ端子５４ａに接触するように、フロントケース８の内部に回路基板１０を収容するとともに、フロントケース８にリアケース９を接合して固定側筐体３を組み立てる。このようにして、固定側筐体３の外部に配置されたアンテナとしての連結部６と固定側筐体３の内部に収納された回路基板１０とを、接続部５０を介して接続することができる。
【００３９】
続いて、接続部５０によって連結部６と回路基板１０との接続を解除する手順について説明する。（１）まず、締結部材５３のネジ部５８を第１の導電部材５１におけるナット部５５のネジ孔５５ａから離脱し、締結部材５３を第２の導電部材５２の透孔５２ｂ及びアンテナ用孔８ａから抜き外す。
【００４０】
（２）次いで、取付ネジ５６を取り外すことで第２の導電部材５２の連結部６側の一端と連結部６とを離反させる。このようにして、固定側筐体３の外部に配置されたアンテナとしての連結部６と固定側筐体３の内部に収納された回路基板１０との接続を解除することができる。
【００４１】
上述してきたように、本実施例では、回路基板１０に接続された第１の導電部材５１を固定側筐体３の内面に固着し、アンテナとしての連結部６に接続された第２の導電部材５２を固定側筐体３の外面に装着する。そして、本実施例では、固定側筐体３の外部側からアンテナ用孔８ａに挿通される締結部材５３により第１の導電部材５１と第２の導電部材５２とを締結する。そのため、本実施例では、固定側筐体３をフロントケース８とリアケース９とに分解することなく固定側筐体３の外部に配置された連結部６や第２の導電部材５２等の部品を容易に交換することができ、その結果、防水性も確保することができる。
【００４２】
また、本実施例では、締結部材５３によって第１の導電部材５１と第２の導電部材５２とが締結された状態で固定側筐体３におけるアンテナ用孔８ａを水密に塞ぐＯリング５９を備える。そのため、本実施例では、アンテナ用孔８ａから固定側筐体３内に水が浸入することを防ぐことができ、その結果、防水性をさらに向上することができる。
【００４３】
また、本実施例では、Ｏリング５９が、締結部材５３に取り付けられている。そのため、本実施例では、第１の導電部材５１と第２の導電部材５２との締結に併せてアンテナ用孔８ａを水密に塞ぐことができる。その結果、本実施例では、固定側筐体３外部の部品交換作業の効率化及び防水性の向上を同時に実現できる。
【００４４】
また、本実施例では、第１の導電部材５１は、回路基板１０と接触するバネ端子５４ａを含んだ板金体５４と、板金体５４に取り付けられ、固定側筐体３の内面におけるアンテナ用孔８ａの周囲に形成された凹部８ｂに嵌着されるナット部５５とを備える。締結部材５３は、アンテナ用孔８ａよりも大径の頭部５７と、頭部５７から延出され、ナット部５５のネジ孔５５ａに螺合可能なネジ部５８とを備える。締結部材５３は、固定側筐体３の外面に装着された第２の導電部材５２を頭部５７で固定側筐体３の外面に押圧しつつ、アンテナ用孔８ａに挿通されたネジ部５８をナット部５５のネジ孔５５ａに螺合して、第１の導電部材５１と第２の導電部材５２とを締結する。
【００４５】
そのため、本実施例では、締結部材５３のネジ部５８を第１の導電部材５１のナット部５５へ着脱する作業を行うだけで、固定側筐体３の外部に配置された連結部６や第２の導電部材５２等の部品を容易に交換することができ、作業を効率化することができる。
【００４６】
（他の実施例）
さて、これまで本発明の実施例について説明したが、本発明は上述した実施例以外にも、特許請求の範囲に記載した技術的思想の範囲内において、種々の異なる実施例にて実施することもできる。
【００４７】
すなわち、本実施例では、固定側筐体３と可動側筐体５とを折り畳み自在に連結する連結部６がアンテナとして機能する例を説明したが、連結部６とは別にアンテナを設けてもよい。この場合、接続部５０は、アンテナと回路基板１０とを電気的に接続する。
【００４８】
また、本実施例では、ヒンジモジュールによる折り畳み方式の携帯電話機へ本発明を適用した例を説明したが、図示したヒンジモジュールに限らず各種のヒンジモジュールによる折り畳み方式の携帯電話機へ本発明を適用することもできる。さらには、ヒンジモジュールによる折り畳み方式に限らず、本発明は、例えばスライド方式や平面回転方式の連結部によって固定側筐体に対して可動側筐体を可動自在とした携帯電話機にも同様に適用することができる。
【００４９】
また、本実施例では、携帯端末装置としての携帯電話機への適用例を説明したが、本発明は、これに限定されるものではない。例えば、本発明は、ＰＤＡ（Personal Digital Assistants）のような小型情報処理端末、小型音楽再生装置、携帯テレビ、携帯型ゲーム機等の他の各種携帯端末装置にも適用することができる。
【００５０】
以上の実施例を含む実施形態に関し、さらに以下の付記を開示する。
【００５１】
（付記１）筐体の内部に収納された回路基板と前記筐体の外部に配置されたアンテナとを前記筐体に設けられた貫通孔を通じて電気的に接続した携帯端末装置であって、
前記回路基板に接続された状態で前記筐体の内面に固着される第１の導電部材と、
前記アンテナに接続された状態で前記筐体の外面に着脱自在に装着される第２の導電部材と、
前記筐体の外部側から前記貫通孔に挿通され、前記第１の導電部材と前記第２の導電部材とを締結する導電性の締結部材と
を備えたことを特徴とする携帯端末装置。
【００５２】
（付記２）前記締結部材によって前記第１の導電部材と前記第２の導電部材とが締結された状態で前記貫通孔を水密に塞ぐ防水部材をさらに備えたことを特徴とする付記１に記載の携帯端末装置。
【００５３】
（付記３）前記防水部材は、前記締結部材に取り付けられていることを特徴とする付記２に記載の携帯端末装置。
【００５４】
（付記４）前記第１の導電部材は、前記回路基板と接触する接続端子を含んだ板金体と、当該板金体に取り付けられ、前記筐体の内面における前記貫通孔の周囲に形成された凹部に嵌着されるナット部とを備え、
前記締結部材は、前記貫通孔よりも大径の頭部と、当該頭部から延出され、前記ナット部のネジ孔に螺合可能なネジ部とを備え、前記筐体の外面に装着された前記第２の導電部材を前記頭部で前記筐体の外面に押圧しつつ、前記貫通孔に挿通された前記ネジ部を前記ナット部のネジ孔に螺合することで、前記第１の導電部材と前記第２の導電部材とを締結することを特徴とする付記１〜３のいずれか一つに記載の携帯端末装置。
【００５５】
（付記５）前記第１の導電部材は、前記回路基板と接触する接続端子を含んだ板金体と、当該板金体に取り付けられ、前記筐体の内面における前記貫通孔の周囲に形成された凹部に嵌着されるナット部とを備え、
前記第２の導電部材は、前記アンテナから前記貫通孔へ至るまで前記筐体の外面に沿って屈曲した帯形状に形成され、前記貫通孔側の一端に前記貫通孔に対応する透孔を備え、
前記締結部材は、前記貫通孔よりも大径の頭部と、当該頭部から延出され、前記ナット部のネジ孔に螺合可能なネジ部とを備え、前記透孔及び前記貫通孔に前記ネジ部を順次挿通させ、前記筐体の外面に装着された前記第２の導電部材を前記頭部で前記筐体の外面に押圧しつつ、前記貫通孔に挿通された前記ネジ部を前記ナット部のネジ孔に螺合することで、前記第１の導電部材と前記第２の導電部材とを締結することを特徴とする付記１〜３のいずれか一つに記載の携帯端末装置。
【００５６】
（付記６）前記アンテナは、前記筐体と前記筐体と異なる他の筐体とを可動自在に連結する導電性の連結部であることを特徴とする付記１〜４のいずれか一つに記載の携帯端末装置。
【符号の説明】
【００５７】
１        携帯電話機
２        操作部
３        固定側筐体
４        表示部
５        可動側筐体
６        連結部
６ａ        透孔
７        サイドキー
８        フロントケース
８ａ        アンテナ用孔
８ｂ        凹部
８ｃ        透孔
９        リアケース
１０        回路基板
５０        接続部
５１        第１の導電部材
５２        第２の導電部材
５２ａ        透孔
５２ｂ        透孔
５３        締結部材
５４        板金体
５４ａ        バネ端子
５５        ナット部
５５ａ        ネジ孔
５６        取付ネジ
５７        頭部
５８        ネジ部
５９        Ｏリング
【図１】
2011055239.tif 000003
【図２】
2011055239.tif 000004
【図３】
2011055239.tif 000005
【図４】
2011055239.tif 000006
【図５】
2011055239.tif 000007
【図６】
2011055239.tif 000008
【図７】
2011055239.tif 000009
【図８】
2011055239.tif 000010
【図９】
2011055239.tif 000011
【図１０】
2011055239.tif 000012
【図１１】
2011055239.tif 000013
【図１２】
2011055239.tif 000014
【図１３】
2011055239.tif 000015
【図１４】
2011055239.tif 000016